(57)【要約】【課題】新設建物に関する地下工事に要する時間及び手間を削減することが可能となる形成方法を提供すること。【解決手段】既存建物１００の地下に設けられている地下壁部１１を用いて、新設建物の地下工事を行うための山留壁部３００を形成する形成方法であって、地下壁部１１よりも既存建物１００の内側に内側壁部３１を形成するステップと、地下壁部１１と内側壁部３１との間の隙間に山留形成材３２を充填することにより、地下壁部１１、山留形成材３２、及び内側壁部３１からなる山留壁部３００を形成するステップとを含み、内側壁部３１を形成するステップは、ＳＭＷ連続壁３１１を形成するステップと、Ｈ鋼柱３１２を設けるステップと、横矢板３１３を設けるステップと、を含む。【選択図】図７
2019143302.tif 000002
【特許請求の範囲】
【請求項１】
既存建物の地下に設けられている地下壁部を用いて、新設建物の地下工事を行うための山留壁部を形成する形成方法であって、
前記地下壁部よりも前記既存建物の内側に内側壁部を形成するステップと、
前記地下壁部と前記内側壁部との間の隙間に山留形成材を充填することにより、前記地下壁部、前記山留形成材、及び前記内側壁部からなる前記山留壁部を形成するステップと、
を含む形成方法。
【請求項２】
前記内側壁部を形成するステップは、
前記地下壁部よりも前記既存建物の内側の前記既存建物の底盤部よりも下側に内側壁部用下側壁部材を、前記内側壁部の一部として形成するステップと、
前記地下壁部よりも前記既存建物の内側の前記内側壁部用下側壁部材の上端側に内側壁部用柱部材を、前記内側壁部の一部として設けるステップと、
前記地下壁部よりも前記既存建物の内側の前記内側壁部用下側壁部材の上端側に前記内側壁部用柱部材によって支持される内側壁部用上側壁部材を、前記内側壁部の一部として設けるステップと、を含む、
請求項１に記載の形成方法。
【請求項３】
前記内側壁部を形成するステップを行う前に、前記地下壁部を土圧に対して支持するステップ、を含む、
請求項１又は２に記載の形成方法。
【請求項４】
前記地下壁部を土圧に対して支持するステップは、前記地下壁部にバックアンカーを打ち込むことにより前記地下壁部を支持するステップ、を含む、
請求項３に記載の形成方法。
【請求項５】
前記地下壁部にバックアンカーを打ち込むことにより前記地下壁部を支持するステップは、
前記地下壁部における前記バックアンカーが打ち込まれる位置よりも上方の前記既存建物の床部の一部であって、前記地下壁部側の一部を解体することによって、前記バックアンカーを打ち込むための打込開口部を前記床部に形成するステップと、
前記床部における当該解体された一部以外の部分である残存床部にバックアンカー打ち込み装置を設けるステップと、
前記床部における前記打込開口部を介して、前記バックアンカー打ち込み装置を用いて下方側に向かって前記地下壁部に対して前記バックアンカーを打ち込むステップと、を含む、
請求項４に記載の形成方法。
【請求項６】
前記山留壁部を形成するステップは、
前記地下壁部における前記バックアンカーが打ち込まれる位置よりも下方まで前記隙間にコンクリートを前記山留形成材として充填するステップと、
前記コンクリートが固化した後に、前記地下壁部に打ち込んだ前記バックアンカーを抜くステップと、
前記バックアンカーを抜いた後に、裏込め材を前記山留形成材として充填するステップと、を含む、
請求項４又は５に記載の形成方法。
【発明の詳細な説明】
【技術分野】
【０００１】
本発明は、形成方法に関する。
【背景技術】
【０００２】
従来、旧建物の建替工事においては、地下の工事を行うためには、土圧を支持するために山留壁部を地下に新たに形成する必要があり多大な手間と時間を要していた。すなわち、従来の山留壁部の形成は、例えば、旧建物の地下壁部の内側に内側壁及び当該内側壁を支持するバットレスを形成し、旧建物の地下壁部と内側壁との間にガラ材（例えば、解体ガラ等）を充填した上で、いわゆるＳＭＷ（Ｓｏｉｌ  Ｍｉｘｉｎｇ  Ｗａｌｌ）工法にて当該ガラ材と共に底盤を掘削して旧建物の地下壁部と内側壁との間にＳＭＷ連続壁を形成することにより行われていた。ところが、前述の内側壁及びバットレス、ＳＭＷ連続壁はコンクリートにて形成されていたので、固化するまでに比較的長い時間を要し、また、ガラ材の充填作業にも比較的長い時間を要し、また、ＳＭＷ連続壁を形成した後は、ガラ材を撤去する必要があり、このガラ材の搬入出が手間となっていた。
【０００３】
そこで、旧建物の建替工事に要する時間及び手間を削減させるための技術として、建物建て替え方法が知られていた（特許文献１）。この建物建て替え方法においては、旧建物の外周壁部の内側に擁壁部を形成し、この外周壁部と擁壁部との間に解体ガラ等を充填することにより山留壁部を形成した上で、新設建物の建設を行っていた。
【先行技術文献】
【特許文献】
【０００４】
【特許文献１】特開２００６−２６６０３６号公報
【発明の概要】
【発明が解決しようとする課題】
【０００５】
しかしながら、このような方法では、擁壁部の形成や解体ガラの充填等に比較的多大な時間と手間を要することになり、新設建物に関する地下工事に要する時間及び手間を削減する観点において改善の余地があった。
【０００６】
本発明は上記事実に鑑み、新設建物に関する地下工事に要する時間及び手間を削減することが可能となる形成方法を提供することを目的とする。
【課題を解決するための手段】
【０００７】
上述した課題を解決し、目的を達成するために、請求項１に記載の形成方法は、既存建物の地下に設けられている地下壁部を用いて、新設建物の地下工事を行うための山留壁部を形成する形成方法であって、前記地下壁部よりも前記既存建物の内側に内側壁部を形成するステップと、前記地下壁部と前記内側壁部との間の隙間に山留形成材を充填することにより、前記地下壁部、前記山留形成材、及び前記内側壁部からなる前記山留壁部を形成するステップと、を含む。
【０００８】
請求項２に記載の形成方法は、請求項１に記載の形成方法において、前記内側壁部を形成するステップは、前記地下壁部よりも前記既存建物の内側の前記既存建物の底盤部よりも下側に内側壁部用下側壁部材を、前記内側壁部の一部として形成するステップと、前記地下壁部よりも前記既存建物の内側の前記内側壁部用下側壁部材の上端側に内側壁部用柱部材を、前記内側壁部の一部として設けるステップと、前記地下壁部よりも前記既存建物の内側の前記内側壁部用下側壁部材の上端側に前記内側壁部用柱部材によって支持される内側壁部用上側壁部材を、前記内側壁部の一部として設けるステップと、を含む。
【０００９】
請求項３に記載の形成方法は、請求項１又は２に記載の形成方法において、前記内側壁部を形成するステップを行う前に、前記地下壁部を土圧に対して支持するステップ、を含む。
【００１０】
請求項４に記載の形成方法は、請求項３に記載の形成方法において、前記地下壁部を土圧に対して支持するステップは、前記地下壁部にバックアンカーを打ち込むことにより前記地下壁部を支持するステップ、を含む。
【００１１】
請求項５に記載の形成方法は、請求項４に記載の形成方法において、前記地下壁部にバックアンカーを打ち込むことにより前記地下壁部を支持するステップは、前記地下壁部における前記バックアンカーが打ち込まれる位置よりも上方の前記既存建物の床部の一部であって、前記地下壁部側の一部を解体することによって、前記バックアンカーを打ち込むための打込開口部を前記床部に形成するステップと、前記床部における当該解体された一部以外の部分である残存床部にバックアンカー打ち込み装置を設けるステップと、前記床部における前記打込開口部を介して、前記バックアンカー打ち込み装置を用いて下方側に向かって前記地下壁部に対して前記バックアンカーを打ち込むステップと、を含む。
【００１２】
請求項６に記載の形成方法は、請求項４又は５に記載の形成方法において、前記山留壁部を形成するステップは、前記地下壁部における前記バックアンカーが打ち込まれる位置よりも下方まで前記隙間にコンクリートを前記山留形成材として充填するステップと、前記コンクリートが固化した後に、前記地下壁部に打ち込んだ前記バックアンカーを抜くステップと、前記バックアンカーを抜いた後に、裏込め材を前記山留形成材として充填するステップと、を含む。
【発明の効果】
【００１３】
請求項１に記載の形成方法によれば、地下壁部、山留形成材、及び内側壁部からなる山留壁部を形成することにより、例えば、既存建物の地下壁部を山留壁部の一部として用いることができるので、山留壁部を形成する時間及び手間を削減することができ、新設建物の地下工事に要する時間及び手間を削減することが可能となる。特に、例えば、コンクリートによるバットレスを形成したり、ガラ材を用いたりする必要がないので、バットレスを形成するコンクリートの固化を待つ必要がなく、また、ガラ材の搬入出が不要となるので、また、ガラ材と共に底盤を掘削する必要がないので、新設建物の地下工事に要する時間及び手間を削減することが可能となる。
【００１４】
請求項２に記載の形成方法によれば、内側壁部用下側壁部材を形成することにより、例えば、内側壁部を既存建物の底盤部よりも下側の地下部分に対して強固に固定することができるので、内側壁部を強固に支持することが可能となる。
【００１５】
請求項３に記載の形成方法によれば、地下壁部を土圧に対して支持するにより、例えば、既存建物の地下壁部を仮の山留壁部として用いることが可能となるので、地下壁部、山留形成材、内側壁部からなる山留壁部の形成が完了する前であっても地下壁部にて土圧を支持することができるために、新設建物に関する地下工事（つまり、旧建物の障害物の解体撤去等）を開始することができ、新設建物の施工期間を短縮することが可能となる。
【００１６】
請求項４に記載の形成方法によれば、バックアンカーを打ち込んで地下壁部を支持することにより、例えば、既存建物の内側に地下壁部を支持するための構造物を設ける必要がないので、地下の作業スペースを広くとることができ、作業効率を向上させることが可能となる。
【００１７】
請求項５に記載の形成方法によれば、打込開口部を介して、バックアンカー打ち込み装置を用いて下方側に向かってバックアンカーを打ち込むことにより、例えば、バックアンカー打ち込み装置を下側に下すことなくバックアンカーを打ち込むことができるので、バックアンカーの打ち込み作業を迅速に行うことが可能となる。
【００１８】
請求項６に記載の形成方法によれば、コンクリート及び裏込め材の２種類の材料を山留形成材として用いることにより、例えば、打ち込んだバックアンカーを容易に引き抜くことができるので、また、地下壁部と内側壁部との間の隙間に十分な量の山留形成材を充填することができるので、強固な山留壁部を迅速に形成することが可能となる。
【図面の簡単な説明】
【００１９】
【図１】本実施の形態に係る既存建物と建設予定の新設建物を示す平面図である。
【図２】既存建物の断面図である。
【図３】バックアンカーが設けられた状態の既存建物の断面図である。
【図４】ＳＭＷ連続壁、Ｈ鋼柱、及び横矢板が設けられて状態の既存建物の断面図である。
【図５】図４のＡＡ断面から見た状態の既存建物の一部の図である。
【図６】第１山留形成材が充填された状態の既存建物の断面図である。
【図７】山留壁部が形成された状態の既存建物の断面図である。
【図８】形成方法のフローチャートである。
【発明を実施するための形態】
【００２０】
以下に添付図面を参照して、この発明に係る形成方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２１】
〔Ｉ〕実施の形態の基本的概念
まず、実施の形態の基本的概念について説明する。実施の形態は、概略的に、形成方法に関する。
【００２２】
ここで、「形成方法」とは、既存建物の地下に設けられている地下壁部を用いて、新設建物の地下工事を行うための山留壁部を形成する方法であり、例えば、地下壁部よりも既存建物の内側に内側壁部を形成するステップと、地下壁部と内側壁部との間の隙間に山留形成材を充填することにより、地下壁部、山留形成材、及び内側壁部からなる山留壁部を形成するステップとを含む方法であり、任意で、地下壁部を土圧に対して支持するステップを含む概念である。
【００２３】
「既存建物」とは、既に建設されている建物であって地下構造物を有する建物であり、具体的には、１つのみの建物、複数の建物等を含むものであり、例えば、オフィスビル、病院、学校、集合住宅、及び一戸建て住宅等を含む概念である。「地下壁部」とは、山留壁部を形成するものであって、既存建物の地下に設けられているものであり、例えば、壁自体、あるいは、壁の外側に既に形成されている既存建物のための山留壁部等を含む概念である。
【００２４】
「新設建物」とは、新たに建設される建物であって地下階を有する建物であり、具体的には、１つのみの建物、複数の建物等を含むものであり、また、既存建物の地下構造物の内部に対応する位置に新設建物用地下壁部の少なくとも一部が形成されるものであり、例えば、オフィスビル、病院、学校、集合住宅、及び一戸建て住宅等を含む概念である。
【００２５】
「山留壁部」とは、土の崩壊を防ぐために用いられるものであり、具体的には、建物の地下部分において土圧を支持するものであり、例えば、新設建物の地下工事を行うために形成されるものであり、一例としては、少なくとも地下壁部、山留形成材、及び内側壁部からなるものである。
【００２６】
「内側壁部」とは、山留壁部を形成するものであって、地下壁部よりも既存建物の内側に形成されるものであり、例えば、少なくとも内側壁部用下側壁部材、内側壁部用柱部材、及び内側壁部用上側壁部材からなるものである。「内側壁部用下側壁部材」とは、内側壁部の一部であり、例えば、自己の少なくとも一部が既存建物の底盤部よりも下側に設けられるものであり、例えば、ＳＭＷ（Ｓｏｉｌ  Ｍｉｘｉｎｇ  Ｗａｌｌ）工法にて掘削して形成さえるＳＭＷ連続壁等を含む概念である。「内側壁部用柱部材」とは、地下壁部よりも既存建物の内側の内側壁部用下側壁部材の上端側に設けられるものであり、例えば、Ｈ鋼柱等を含む概念である。「内側壁部用上側壁部材」とは、地下壁部よりも既存建物の内側の内側壁部用下側壁部材の上端側に内側壁部用柱部材によって支持されるものであり、例えば、Ｈ鋼柱に嵌め込まれる横矢板や鉄板等を含む概念である。
【００２７】
「山留形成材」とは、山留壁部を形成するものであり、具体的には、地下壁部と内側壁部との間の隙間に充填されるものであり、例えば、第１山留形成材、及び第２山留形成材を含む概念である。「第１山留形成材」とは、地下壁部におけるバックアンカーが打ち込まれる位置よりも下方まで前述の隙間に充填されるものであり、例えば、コンクリート、セメントミルク、流動化処理土、及び良質土（裏込め材）等を含む概念である。「第２山留形成材」とは、第１山留形成材の上側において前述の隙間に充填されるものであり、例えば、コンクリート、流動化処理土、及び良質土等を含む概念である。
【００２８】
「新設建物の地下工事」とは、新設建物を建設するために地下にて行うことが必要な工事であり、例えば、地下障害物の解体、地下構造物の解体、又は地下構造物の建設等を含む概念である。「地下障害物」とは、地下工事を行うために障害となるものであり、例えば、既存建物の一部（一例としては、杭（つまり、既存杭）等）、あるいは、既存建物とは異なる埋設物（例えば、岩等）を含む概念である。「地下障害物の解体」とは、地下障害物を壊すことであり、例えば、地下障害物を壊すことのみ、地下障害物を壊して撤去すること等を含む概念である。
【００２９】
そして、以下に示す実施の形態では、「既存建物」が地下２階分の地下構造物を有する建物であり、当該既存建物の地下壁部を利用して山留壁部を形成した上で、当該既存建物を解体する場合について説明する。
【００３０】
〔ＩＩ〕実施の形態の具体的内容
次に、実施の形態の具体的内容について説明する。
【００３１】
（構成）
まず、本実施の形態に係る形成方法が適用される建物等について説明する。図１は、本実施の形態に係る既存建物と建設予定の新設建物を示す平面図であり、図２は、既存建物の断面図であり、図３は、バックアンカーが設けられた状態の既存建物の断面図であり、図４は、ＳＭＷ連続壁、Ｈ鋼柱、及び横矢板が設けられて状態の既存建物の断面図であり、図５は、図４のＡＡ断面から見た状態の既存建物の一部の図であり、図６は、第１山留形成材が充填された状態の既存建物の断面図であり、図７は、山留壁部が形成された状態の既存建物の断面図である。
【００３２】
なお、図１においては、３つの既存建物１００を取り壊して１つの新設建物２００を建設することを示しており、説明の便宜上、既存建物１００の外形を実線で示し、建設予定の新設建物２００の外形を２点鎖線で示している。また、図４においては、Ｈ鋼柱については図示されておらず、また、図５においては、図４のＡＡ断面から見た状態のＨ鋼柱３１２及び横矢板３１３が図示されている。図１〜図７に示すＸ―Ｙ―Ｚ方向が互いに直交する方向であり、具体的には、Ｚ方向が垂直方向であって、Ｘ方向及びＹ方向が垂直方向に対して直交する水平方向であるものとして、例えば、Ｚ方向を高さ方向と称し、＋Ｚ方向を上方（上側、平面）と称し、−Ｚ方向を下方（下側、底面）と称して説明する。
【００３３】
そして、以下では、形成方法の適用対象例、既存建物の構成、既存建物に適用される要素の構成について説明する。
【００３４】
（構成‐形成方法の適用対象例）
まず、形成方法の適用対象例について説明する。本願の形成方法は、図１に示すように、既存建物１００の壁よりも当該既存建物１００の内側に新設建物２００の壁が設けられる領域に適用することができ、例えば、３つの既存建物１００の壁１００ａ〜１００ｄと対向する領域であり、且つ、３つの既存建物１００の内側の領域に適用することができる。ここでは、例えば、図１の領域Ａｒ１に着目して説明する。
【００３５】
（構成‐既存建物の構成）
次に、既存建物１００について説明する。なお、既存建物１００については、公知の建物を含む任意の建物と同様にして構成することができるので、ここでは、地下部分についてのみ図示し、本願の特徴に特に関連する構成のみについて説明する。図２の既存建物１００は、例えば、地下壁部１１、地上１階床部１２、地下１階床部１３、地下２階床部１４、及び底盤部１５を備える。
【００３６】
（構成‐既存建物の構成‐地下壁部）
図２の地下壁部１１は、既存建物１００の地下に設けられているものである。この地下壁部１１の具体的な種類や構成は任意であるが、例えば、水平方向（Ｘ軸方向）において既存建物１００の内外を相互に区分しているものであり、また、高さ方向（Ｚ軸方向）にわたって設けられているものである。
【００３７】
（構成‐既存建物の構成‐地上１階床部）
図２の地上１階床部１２は、既存建物１００の地上の床部である。この地上１階床部１２の具体的な種類や構成は任意であるが、例えば、高さ方向（Ｚ軸方向）において既存建物１００の地上１階部分と地下１階部分を相互に区分しているものであり、また、水平方向（ＸＹ平面に平行な方向）にわたって設けられているものである。
【００３８】
（構成‐既存建物の構成‐地下１階床部）
図２の地下１階床部１３は、既存建物１００の地下の床部である。この地下１階床部１３の具体的な種類や構成は任意であるが、例えば、高さ方向（Ｚ軸方向）において既存建物１００の地下１階部分と地下２階部分を相互に区分しているものであり、また、水平方向（ＸＹ平面に平行な方向）にわたって設けられているものである。
【００３９】
（構成‐既存建物の構成‐地下２階床部）
図２の地下２階床部１４は、既存建物１００の地下の床部である。この地下２階床部１４の具体的な種類や構成は任意であるが、例えば、高さ方向（Ｚ軸方向）において既存建物１００の地下２階部分と地下２階部分よりも下の部分を相互に区分しているものであり、また、水平方向（ＸＹ平面に平行な方向）にわたって設けられているものである。
【００４０】
（構成‐既存建物の構成‐底盤部）
図２の底盤部１５は、既存建物１００の底を形成しているものである。この底盤部１５の具体的な種類や構成は任意であるが、例えば、高さ方向（Ｚ軸方向）において既存建物１００の内外を相互に区分しているものであり、また、水平方向（ＸＹ平面に平行な方向）にわたって設けられているものである。
【００４１】
（構成‐既存建物に適用される要素の構成）
次に、既存建物１００に適用される要素の構成について説明する。既存建物１００に適用される要素とは、後述する形成方法を実行することにより、既存建物１００に対して一時的に又は永続的に設けられる要素、あるいは、既存建物１００に対して一時的に又は永続的に用いられる要素であり、例えば、図３のバックアンカー４１、及び図７の山留壁部３００を備える。
【００４２】
（構成‐既存建物に適用される要素の構成‐バックアンカー）
図３のバックアンカー４１は、地下壁部１１を土圧に対して支持するものである。このバックアンカー４１の具体的な種類や構成は任意であるが、例えば、バックアンカー打ち込み装置４００にて打ち込まれて設けられるものであって、公知のものを適用することができるが、一例としては、台座部４１１、引張部４１２、及び先端部４１３を備える。台座部４１１は、地下壁部１１に対してバックアンカー４１の一端を固定する固定手段であり、また、先端部４１３は、既存建物１００の外側の土にバックアンカー４１の他端を固定する固定手段であり、また、引張部４１２は、地下壁部１１を土圧に抗して引っ張る引張手段であり、例えば、−Ｘ側に向かって引っ張るものである。
【００４３】
（構成‐既存建物に適用される要素の構成‐山留壁部）
図７の山留壁部３００は、前述の山留壁部であり、例えば、地下壁部１１、内側壁部３１、及び山留形成材３２を備える。
【００４４】
（構成‐既存建物に適用される要素の構成‐山留壁部‐地下壁部）
地下壁部１１は、山留壁部３００の一部を形成するものであり、前述したように、既存建物１００の地下壁部である。
【００４５】
（構成‐既存建物に適用される要素の構成‐山留壁部‐内側壁部）
内側壁部３１は、山留壁部３００の一部を形成するものであり、具体的には、地下壁部１１よりも既存建物１００の内側に形成されるものであり、例えば、ＳＭＷ連続壁３１１、図５のＨ鋼柱３１２、及び図５及び図７の横矢板３１３を備える。
【００４６】
ＳＭＷ連続壁３１１は、前述の内側壁部用下側壁部材であり、例えば、自己の少なくも一部が底盤部１５よりも下側（−Ｚ方向）まで設けられて固定されるものであり、また、ＳＭＷ工法にて掘削して形成されるものである。
【００４７】
Ｈ鋼柱３１２は、前述の内側壁部用柱部材であり、例えば、ＳＭＷ連続壁３１１の上側に設けられるものであり、また、ＳＭＷ連続壁３１１の上側（＋Ｚ方向）の端部に設けられるものである。
【００４８】
横矢板３１３は、前述の内側壁部用上側壁部材であり、例えば、図５に示すように、Ｈ鋼柱３１２に嵌め込まれて設けられるものであり、また、木製の平板である。
【００４９】
（構成‐既存建物に適用される要素の構成‐山留壁部‐山留形成材）
図７の山留形成材３２は、山留壁部３００の一部を形成するものであり、具体的には、地下壁部１１と内側壁部３１との間の隙間に充填されるものであり、例えば、第１山留形成材３２１、及び第２山留形成材３２２を備える。
【００５０】
図６の第１山留形成材３２１は、地下壁部１１におけるバックアンカーが打ち込まれる位置よりも下方（−Ｚ方向）までの、地下壁部１１と内側壁部３１との間の隙間に充填されるものであり、例えば、コンクリートである。
【００５１】
図７の第２山留形成材３２２は、第１山留形成材３２１の上方（＋Ｚ方向）において、地下壁部１１と内側壁部３１との間の隙間に充填されるものであり、例えば、良質土である。
【００５２】
（形成方法）
次に、このように構成される既存建物１００に適用される形成方法について説明する。図８は、形成方法のフローチャートである。「形成方法」とは、例えば、前述したように、既存建物１００の地下壁部１１を用いて山留壁部３００を形成する方法である。
【００５３】
まず、図８のＳＡ１において既存建物１００の地下壁部１１を土圧に対して支持する。具体的には任意であるが、例えば、図３に示すように、地下壁部１１にバックアンカー４１を打ち込むことにより地下壁部１１を支持する。
【００５４】
詳細には、まず、打込開口部１２１を形成する。なお、「打込開口部」１２１とは、バックアンカー打ち込み装置４００を用いてバックアンカーを打込むための開口であり、例えば、地上１階床部１２の一部を解体することにより形成されるものである。ここでは、例えば、地下壁部１１におけるバックアンカー４１が打ち込まれる位置（台座部４１１の位置）よりも上方（＋Ｚ方向）の既存建物１００の地上１階床部１２に、任意の手法で（例えば、公知の解体装置を用いる手法等）打込開口部１２１を形成する。
【００５５】
次に、残存床部１２２にバックアンカー打ち込み装置４００を設ける。なお、「残存床部」１２２は、地上１階床部１２における解体された一部以外の部分（つまり、打込開口部１２１以外の部分）である。ここでは、例えば、バックアンカー打ち込み装置４００を運転して残存床部１２２における打込開口部１２１の周辺に設ける。
【００５６】
次に、バックアンカー４１を打ち込む。ここでは、例えば、地上１階床部１２における打込開口部１２１を介して、バックアンカー打ち込み装置４００を用いて下方側（−Ｚ方向）（詳細には斜め下方側）に向かって地下壁部１１に対してバックアンカー４１を打ち込むことにより、図３に示すように、バックアンカー４１が設けられる。なお、打ち込むバックアンカー４１の個数は任意であるが、ここでは、地下壁部１１に対する土圧の強さ、既存建物１００の周辺の環境（例えば、土質等）を考慮して個数を決定してもよい。
【００５７】
次に、図８のＳＡ２において図４及び図５の内側壁部３１を形成する。具体的には任意であるが、例えば、ＳＭＷ連続壁３１１を、Ｈ鋼柱３１２、及び横矢板３１３を形成又は設けることにより、内側壁部３１を形成する。
【００５８】
詳細には、まず、ＳＭＷ連続壁３１１を形成する。ここでは、例えば、ＳＭＷ連続壁３１１の少なくも一部が底盤部１５よりも下側（−Ｚ方向）まで設けられて固定されるように、また、ＺＹ平面に沿って設けられる連続壁となるように、任意の手法（例えば、少なくともＳＭＷ工法にて掘削する公知の装置を用いる手法）でＳＭＷ連続壁３１１を形成する。
【００５９】
次に、図５のＨ鋼柱３１２を設ける。ここでは、例えば、Ｈ鋼柱３１２を、ＳＭＷ連続壁３１１の上側（＋Ｚ方向）において、Ｙ方向において所定の間隔を空けてＺＹ平面に沿って複数本、任意の手法（一例としては、Ｈ鋼柱３１２の下端（−Ｚ方向）をＳＭＷ連続壁３１１の上端（＋Ｚ方向）に溶接して設ける手法）で設ける。なお、このＨ鋼柱３１２については、例えば、不図示の支持手段（例えば、支持棒等）を用いて倒れることを防止してもよい。
【００６０】
次に、横矢板３１３を設ける。ここでは、例えば、図５に示すように、２本のＨ鋼柱３１２の間にて当該Ｈ鋼柱３１２に嵌め込んで設けるが、この場合、横矢板３１３は、Ｈ鋼柱３１２にて支持されることになり、このようにして、内側壁部３１を形成する。
【００６１】
次に、図８のＳＡ３において図７の山留壁部３００を形成する。具体的には任意であるが、例えば、地下壁部１１とＳＡ２で形成した内側壁部３１との間の隙間に山留形成材３２を充填することにより、地下壁部１１、山留形成材３２、及び内側壁部３１からなる山留壁部３００を形成する。
【００６２】
詳細には、まず、地下壁部１１とＳＡ２で形成した内側壁部３１との間の隙間に、図６の第１山留形成材３２１であるコンクリートを充填する。ここでは、例えば、図６に示すように、地上１階床部１２に充填開口部１２３を形成した上で、この充填開口部１２３を介して任意の手法（例えば、コンクリートポンプ車等を用いる手法）で、第１山留形成材３２１を、バックアンカー４１が打ち込まれる位置（台座部４１１の位置）よりも下方（−Ｚ方向）における台座部４１１の付近まで充填する。
【００６３】
次に、第１山留形成材３２１であるコンクリートが固化することを待つ。ここでは、例えば、予め定められた期間（３日〜７日等）待つ。
【００６４】
次に、第１山留形成材３２１であるコンクリートが固化した後に、地下壁部１１に打ち込んだバックアンカー４１を抜く。ここでは、例えば、打込開口部１２１を介して、任意の手法（例えば、図３のバックアンカー打ち込み装置４００を用いる手法、あるいは、その他の公知の装置を用いる手法等）でバックアンカー４１を抜く。なお、この場合、図４に示すように、打込開口部１２１とバックアンカー４１との間に横矢板３１３が設けられているが、この横矢板３１３について、複数の板材にて形成することにより、少なくとも一部（具体的には、打込開口部１２１とバックアンカー４１との間の部分）を取り外し可能に構成し、この横矢板３１３における一部を取り外した上で、打込開口部１２１を介してバックアンカー４１を引き抜いた後に、横矢板３１３における当該取り外した一部を再度設けることとする。
【００６５】
次に、バックアンカー４１を抜いた後に、地下壁部１１とＳＡ２で形成した内側壁部３１との間の隙間に、図７の第２山留形成材３２２である裏込め材としての良質土を充填する。ここでは、例えば、図７の充填開口部１２３を介して任意の手法（例えば、任意の装置を用いて行う手法、あるいは、作業員の手作業に行う手法）で、第２山留形成材３２２を、バックアンカー４１が打ち込まれる位置（台座部４１１の位置）よりも上方（＋Ｚ方向）における地上１階床部１２の付近まで充填する。このようにして、山留壁部３００が形成されて、土圧を支持することが可能となり、例えば、新設建物２００の地下工事として既存建物１００の地下部分の解体等を行うことが可能となる。これにて、形成方法を終了する。
【００６６】
（本実施の形態の効果）
本実施の形態によれば、地下壁部１１、山留形成材３２、及び内側壁部３１からなる山留壁部３００を形成することにより、例えば、既存建物１００の地下壁部１１を山留壁部３００の一部として用いることができるので、山留壁部３００を形成する時間及び手間を削減することができ、新設建物２００の地下工事に要する時間及び手間を削減することが可能となる。特に、例えば、コンクリートによるバットレスを形成したり、ガラ材を用いたりする必要がないので、バットレスを形成するコンクリートの固化を待つ必要がなく、また、ガラ材の搬入出が不要となるので、また、ガラ材と共に底盤を掘削する必要がないので、新設建物２００の地下工事に要する時間及び手間を削減することが可能となる。
【００６７】
また、ＳＭＷ連続壁３１１を形成することにより、例えば、内側壁部３１を既存建物１００の底盤部１５よりも下側（−Ｚ方向）の地下部分に対して強固に固定することができるので、内側壁部３１を強固に支持することが可能となる。
【００６８】
また、地下壁部１１を土圧に対して支持するにより、例えば、既存建物１００の地下壁部１１を仮の山留壁部として用いることが可能となるので、地下壁部１１、山留形成材３２、内側壁部３１からなる山留壁部３００の形成が完了する前であっても地下壁部１１にて土圧を支持することができるために、新設建物２００に関する地下工事（つまり、旧建物の障害物の解体撤去等）を開始することができ、新設建物２００の施工期間を短縮することが可能となる。
【００６９】
また、バックアンカー４１を打ち込んで地下壁部１１を支持することにより、例えば、既存建物１００の内側に地下壁部１１を支持するための構造物を設ける必要がないので、地下の作業スペースを広くとることができ、作業効率を向上させることが可能となる。
【００７０】
また、打込開口部１２１を介して、バックアンカー打ち込み装置４００を用いて下方側（−Ｚ方向）に向かってバックアンカー４１を打ち込むことにより、例えば、バックアンカー打ち込み装置４００を下側（−Ｚ方向）に下すことなくバックアンカー４１を打ち込むことができるので、バックアンカー４１の打ち込み作業を迅速に行うことが可能となる。
【００７１】
また、コンクリート及び裏込め材（良質土）の２種類の材料を山留形成材３２として用いることにより、例えば、打ち込んだバックアンカー４１を容易に引き抜くことができるので、また、地下壁部１１と内側壁部３１との間の隙間に十分な量の山留形成材３２を充填することができるので、強固な山留壁部３００を迅速に形成することが可能となる。
【００７２】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００７４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。
【００７５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７６】
（地下壁部の支持について）
また、上記実施の形態においては、バックアンカー４１を用いて地下壁部１１を支持する場合について説明したが、これに限らず、他の任意手法（例えば、切梁を用いる手法、あるいは、火打ち梁を用いる手法）で支持してもよい。
【００７７】
（山留形成材の支持について）
また、上記実施の形態においては、第１山留形成材３２１として流動化処理土を用いて、第２山留形成材３２２として良質土を用いてもよいし、あるいは、第１山留形成材３２１及び第２山留形成材３２２として相互に同種の流動化処理土を用いてもよい。
【００７８】
（開口部について）
また、図３の打込開口部１２１から図７の充填開口部１２３まで続く一体的な開口部をもうけて、当該開口部を介してバックアンカー４１を打ち込んだり、内側壁部３１を形成したり、あるいは、山留形成材３２を充填したりしてもよい。
【００７９】
（付記）
付記１の形成方法は、既存建物の地下に設けられている地下壁部を用いて、新設建物の地下工事を行うための山留壁部を形成する形成方法であって、前記地下壁部よりも前記既存建物の内側に内側壁部を形成するステップと、前記地下壁部と前記内側壁部との間の隙間に山留形成材を充填することにより、前記地下壁部、前記山留形成材、及び前記内側壁部からなる前記山留壁部を形成するステップと、を含む。
【００８０】
付記２の形成方法は、付記１に記載の形成方法において、前記内側壁部を形成するステップは、前記地下壁部よりも前記既存建物の内側の前記既存建物の底盤部よりも下側に内側壁部用下側壁部材を、前記内側壁部の一部として形成するステップと、前記地下壁部よりも前記既存建物の内側の前記内側壁部用下側壁部材の上端側に内側壁部用柱部材を、前記内側壁部の一部として設けるステップと、前記地下壁部よりも前記既存建物の内側の前記内側壁部用下側壁部材の上端側に前記内側壁部用柱部材によって支持される内側壁部用上側壁部材を、前記内側壁部の一部として設けるステップと、を含む。
【００８１】
付記３の形成方法は、付記１又は２に記載の形成方法において、前記内側壁部を形成するステップを行う前に、前記地下壁部を土圧に対して支持するステップ、を含む。
【００８２】
付記４の形成方法は、付記３の形成方法において、前記地下壁部を土圧に対して支持するステップは、前記地下壁部にバックアンカーを打ち込むことにより前記地下壁部を支持するステップ、を含む。
【００８３】
付記５の形成方法は、付記４の形成方法において、前記地下壁部にバックアンカーを打ち込むことにより前記地下壁部を支持するステップは、前記地下壁部における前記バックアンカーが打ち込まれる位置よりも上方の前記既存建物の床部の一部であって、前記地下壁部側の一部を解体することによって、前記バックアンカーを打ち込むための打込開口部を前記床部に形成するステップと、前記床部における当該解体された一部以外の部分である残存床部にバックアンカー打ち込み装置を設けるステップと、前記床部における前記打込開口部を介して、前記バックアンカー打ち込み装置を用いて下方側に向かって前記地下壁部に対して前記バックアンカーを打ち込むステップと、を含む。
【００８４】
付記６の形成方法は、付記４又は５に記載の形成方法において、前記山留壁部を形成するステップは、前記地下壁部における前記バックアンカーが打ち込まれる位置よりも下方まで前記隙間にコンクリートを前記山留形成材として充填するステップと、前記コンクリートが固化した後に、前記地下壁部に打ち込んだ前記バックアンカーを抜くステップと、前記バックアンカーを抜いた後に、裏込め材を前記山留形成材として充填するステップと、を含む。
【００８５】
（付記の効果）
付記１に記載の形成方法によれば、地下壁部、山留形成材、及び内側壁部からなる山留壁部を形成することにより、例えば、既存建物の地下壁部を山留壁部の一部として用いることができるので、山留壁部を形成する時間及び手間を削減することができ、新設建物の地下工事に要する時間及び手間を削減することが可能となる。特に、例えば、コンクリートによるバットレスを形成したり、ガラ材を用いたりする必要がないので、バットレスを形成するコンクリートの固化を待つ必要がなく、また、ガラ材の搬入出が不要となるので、また、ガラ材と共に底盤を掘削する必要がないので、新設建物の地下工事に要する時間及び手間を削減することが可能となる。
【００８６】
付記２に記載の形成方法によれば、内側壁部用下側壁部材を形成することにより、例えば、内側壁部を既存建物の底盤部よりも下側の地下部分に対して強固に固定することができるので、内側壁部を強固に支持することが可能となる。
【００８７】
付記３に記載の形成方法によれば、地下壁部を土圧に対して支持するにより、例えば、既存建物の地下壁部を仮の山留壁部として用いることが可能となるので、地下壁部、山留形成材、内側壁部からなる山留壁部の形成が完了する前であっても地下壁部にて土圧を支持することができるために、新設建物に関する地下工事（つまり、旧建物の障害物の解体撤去等）を開始することができ、新設建物の施工期間を短縮することが可能となる。
【００８８】
付記４に記載の形成方法によれば、バックアンカーを打ち込んで地下壁部を支持することにより、例えば、既存建物の内側に地下壁部を支持するための構造物を設ける必要がないので、地下の作業スペースを広くとることができ、作業効率を向上させることが可能となる。
【００８９】
付記５に記載の形成方法によれば、打込開口部を介して、バックアンカー打ち込み装置を用いて下方側に向かってバックアンカーを打ち込むことにより、例えば、バックアンカー打ち込み装置を下側に下すことなくバックアンカーを打ち込むことができるので、バックアンカーの打ち込み作業を迅速に行うことが可能となる。
【００９０】
付記６に記載の形成方法によれば、コンクリート及び裏込め材の２種類の材料を山留形成材として用いることにより、例えば、打ち込んだバックアンカーを容易に引き抜くことができるので、また、地下壁部と内側壁部との間の隙間に十分な量の山留形成材を充填することができるので、強固な山留壁部を迅速に形成することが可能となる。
【符号の説明】
【００９１】
１１  地下壁部
１２  地上１階床部
１３  地下１階床部
１４  地下２階床部
１５  底盤部
３１  内側壁部
３２  山留形成材
４１  バックアンカー
１００  既存建物
１００ａ  壁
１００ｂ  壁
１００ｃ  壁
１００ｄ  壁
１２１  打込開口部
１２２  残存床部
１２３  充填開口部
２００  新設建物
３００  山留壁部
３１１  ＳＭＷ連続壁
３１２  Ｈ鋼柱
３１３  横矢板
３２１  第１山留形成材
３２２  第２山留形成材
４１１  台座部
４１２  引張部
４１３  先端部
４００  バックアンカー打ち込み装置
Ａｒ１  領域
【図１】
2019143302.tif 000003
【図２】
2019143302.tif 000004
【図３】
2019143302.tif 000005
【図４】
2019143302.tif 000006
【図５】
2019143302.tif 000007
【図６】
2019143302.tif 000008
【図７】
2019143302.tif 000009
【図８】
2019143302.tif 000010